(57)【要約】【課題】  放水開始時や放水中にノズルに加わる反力を減少させることができるようにする。【解決手段】  流入側と流出側が一定の角度で交わる筒状のエルボ本体１０と、エルボ本体１０の流入側に接続された筒状のホース接続部１１と、ホース接続部１１内又はエルボ本体０内に配設され、一次側の圧力変動に関係なく二次側の流量を略一定に保つ流量調整機構１３とから成り、エルボ本体１０の流出側を開閉機構３ａ付きのノズル３に接続すると共に、ホース接続部１１の流入側を保形ホース２の先端部に接続する。又、エルボ本体１０とホース接続部１１とを回転式の連結機構１２により回転自在に接続する。【選択図】  図３
2007000438.tif 000002
【特許請求の範囲】
【請求項１】
流入側と流出側が一定の角度で交わる筒状のエルボ本体（１０）と、エルボ本体（１０）の流入側に接続された筒状のホース接続部（１１）と、ホース接続部（１１）内又はエルボ本体（１０）内に配設され、一次側の圧力変動に関係なく二次側の流量を略一定に保つ流量調整機構（１３）とから成り、エルボ本体（１０）の流出側が開閉機構（３ａ）付きのノズル（３）に接続されると共に、ホース接続部（１１）の流入側が保形ホース（２）の先端部に接続されることを特徴とする定流量回転エルボ。
【請求項２】
エルボ本体（１０）とホース接続部（１１）とを回転式の連結機構（１２）により回転自在に接続し、エルボ本体（１０）及びこれに接続されたノズル（３）の向きを変えられるようにしたことを特徴とする請求項１に記載の定流量回転エルボ。
【発明の詳細な説明】
【技術分野】
【０００１】
本発明は、主に一人操作が可能な保形ホースを用いた屋内消火栓（２号消火栓や易操作性１号消火栓）に用いられるものであり、屋内消火栓の保形ホースと開閉機構付きのノズルとの間に介設され、放水開始時や放水中にノズルに加わる反力を減少させることができるようにした定流量回転エルボに関するものである。
【０００２】
現在、一人操作が可能な屋内消火栓として、断面が円形に保たれる保形ホースを用いた２号消火栓や易操作性１号消火栓が実用に供されている（例えば、特許文献１及び特許文献２等参照）。これらの消火栓は、何れも一人操作を可能とするため、消防用ホースに保形ホースを使用すると共に、ノズルに開閉機構を設けている。
【０００３】
図５は従来の易操作性１号消火栓の一例を示し、当該易操作性１号消火栓は、前面が開放された箱状の本体２０ａ及び本体２０ａの開口を開閉する蓋体２０ｂから成る消火栓箱２０と、消火栓箱２０内に配設されたポンプ起動スイッチ（図示省略）付きの消火栓弁２１と、消火栓弁２１に接続された長尺状の保形ホース２２と、保形ホース２２の先端部に接続された開閉機構２３ａ付きのノズル２３と、保形ホース２２を渦巻き状に巻き取った状態で且つ引き出し可能に消火栓箱２０内に保持する一対の回転自在なローラ２４等から構成されている。
尚、図５に於いて、２５は火災報知器の押釦、２６は表示ランプ、２７は警報ベルである。
【０００４】
而して、前記易操作性１号消火栓を用いた消火活動に際しては、先ず、操作者がノズル２３を消火栓箱２０の外へ取り出し、開閉機構２３ａによりノズル２３からの放水をストップした状態でポンプ起動スイッチ付きの消火栓弁２１を開放して消火栓ポンプ（図示省略）を起動させ、次に、放水をストップしているノズル２３を持って保形ホース２２を消火栓箱２０から引き出しつつ火災地点へ近づき、その後、ノズル２３の先端を火災地点へ向けて構え、この状態で開閉機構２３ａによりノズル２３を開放して放水作業を行う。
この易操作性１号消火栓を用いた消火活動は、保形ホース２２と開閉機構２３ａ付きのノズル２３を備えているため、放水を単独で迅速且つ円滑に行うことが可能である。
【０００５】
しかし、従来の易操作性１号消火栓に於いては、火災地点へ到達するまでノズル２３を開閉機構２３ａにより閉鎖して放水をストップしているため、保形ホース２２内の圧力が高いままの状態になっている。そのため、放水開始時にノズル２３を開放したときに保形ホース２２内の圧力が一瞬で抜けることになり、放水による反動力と保形ホース２２内の圧力減少による保形ホース２２の縮みのために、ノズル２３に放水方向と反対方向に大きな反力が加わると云う問題があった。又、保形ホース２２が縮むと、地面から大きく跳ね上がり、その力がノズル２３に直接伝わると云う問題があった。その結果、放水開始時に操作者がノズル２３を落としたり、ノズル２３に振り回されたりすることがあり、最悪の場合には転倒したりする危険性があった。特に、操作者の姿勢が不安定になり易い場所では、前記問題がより一層顕著に現れることになる。
【特許文献１】実開平２−３７１７２号公報
【特許文献２】実開平３−７８５６６号公報
【発明の開示】
【発明が解決しようとする課題】
【０００６】
本発明は、このような問題点に鑑みて為されたものであり、その目的は放水開始時や放水中にノズルに加わる反力を減少させることができるようにした定流量回転エルボを提供することにある。
【課題を解決するための手段】
【０００７】
本発明の請求項１の定流量回転エルボは、流入側と流出側が一定の角度で交わる筒状のエルボ本体と、エルボ本体の流入側に接続された筒状のホース接続部と、ホース接続部内又はエルボ本体内に配設され、一次側の圧力変動に関係なく二次側の流量を略一定に保つ流量調整機構とから成り、エルボ本体の流出側を開閉機構付きのノズルに接続すると共に、ホース接続部の流入側を保形ホースの先端部に接続したことに特徴がある。
【０００８】
本発明の請求項２の定流量回転エルボは、エルボ本体とホース接続部とを回転式の連結機構により回転自在に接続し、エルボ本体及びこれに接続されたノズルの向きを変えられるようにしたことに特徴がある。
【発明の効果】
【０００９】
本発明の定流量回転エルボは、流入側と流出側が一定の角度で交わる筒状のエルボ本体と、エルボ本体の流入側に回転式の連結機構により回転自在に接続されたホース接続部と、ホース接続部内又はエルボ本体内に配設され、一次側の圧力変動に関係なく二次側の流量を略一定に保つ流量調整機構とから成り、エルボ本体の流出側を開閉機構付きのノズルに接続し、又、ホース接続部の流入側を保形ホースに接続するようにしている。
その結果、本発明の定流量回転エルボは、放水開始時に保形ホース内の圧力が高かったり、或いは放水中に保形ホース内の圧力が変動して高くなったりしても、流量調整機構により二次側の流量（ノズルからの放水量）を略一定に保つことができ、放水によるノズルへの反動力を抑えることができる。又、保形ホース内の水がエルボ本体を通過してノズルから放水されるため、流水方向と放水方向が異なり、水の流れが変わって水流による反動力を低減することができる。
又、本発明の定流量回転エルボは、放水中にエルボ本体の流入側が地面を向くようにした場合に、保形ホースが強制的に地面に押し付けられた格好になるため、保形ホース内の圧力減少に伴って保形ホースが縮んでも、保形ホースが地面から大きく跳ね上がるのを阻止することができると共に、そのときの力がノズルに伝わるのを緩和することができる。
更に、本発明の定流量回転エルボは、エルボ本体とホース接続部とを回転式の連結機構により回転自在に接続しているため、消火栓箱内に定流量回転エルボを保形ホース及びノズルと一緒に収納する際に、狭い消火栓箱内へもノズル及びエルボ本体をホース接続部に対して適切な方向へ回転させることによって、これらを無理な姿勢にすることなく収納することができる。
【発明を実施するための最良の形態】
【００１０】
以下、本発明の実施の形態を図面に基づいて詳細に説明する。
図１乃至図４は本発明の実施の形態に係る定流量回転エルボ１を示し、当該定流量回転エルボ１は、一人操作が可能な保形ホース２を用いた易操作性１号消火栓（又は２号消火栓）に用いられるものであり、易操作性１号消火栓の保形ホース２と開閉機構３ａ付きのノズル３との間に介設され、放水開始時や放水中に一次側の圧力（保形ホース２内の圧力）が高くても、ノズル３に加わる反力を減少させることができるようにしたものである。
【００１１】
尚、図１に於いて、４は前面が開放された箱状の本体４ａ及び本体４ａの開口を開閉する蓋体４ｂから成る消火栓箱、５は消火栓箱４内に配設され、保形ホース２の基端部が接続されるポンプ起動スイッチ付きの消火栓弁、６は保形ホース２を渦巻き状に巻き取った状態で且つ引き出し可能に消火栓箱４内に保持する一対の回転自在な筒状のローラ、７は火災報知器の押釦、８は表示ランプ、９は警報ベルである。
【００１２】
前記定流量回転エルボ１は、流入側と流出側が一定の角度で交わる筒状のエルボ本体１０と、エルボ本体１０の流入側に回転式の連結機構１２を介して回転自在に接続された筒状のホース接続部と、ホース接続部１１内に配設され、一次側の圧力変動に関係なく二次側の流量を略一定に保つ流量調整機構１３とから成り、エルボ本体１０の流出側を開閉機構３ａ付きのノズル３に接続すると共に、ホース接続部１１の流入側を保形ホース２に接続するようにしている。
【００１３】
即ち、前記エルボ本体１０は、図２に示す如く、流入側と流出側が一定の角度（この例では４５°）で交わる曲管から成り、流入側の端部内周面と流出側の端部内周面には、接続用の雌ネジ１０ａ，１０ｂが夫々形成されている。
又、エルボ本体１０の流入側の雌ネジ１０ａには、ホース接続部１１をエルボ本体１０の流入側に回転自在に接続するための回転式の連結機構１２が螺着されている。
更に、エルボ本体１０の流出側の雌ネジ１０ｂには、ノズル３への差し口を形成する筒状の雄ネジ本体１４がＯリング１５を介して螺着されている。この雄ネジ本体１４は、短い筒状に形成されており、その基端部側の外周面には、エルボ本体１０の流出側の雌ネジ１０ｂに着脱自在に螺着される雄ネジ１４ａが、又、その先端部側の外周面には、開閉機構３ａ付きのノズル３の基端部に着脱自在に螺着される雄ネジ１４ｂが夫々形成されている。
【００１４】
前記ホース接続部１１は、図２及び図３に示す如く、エルボ本体１０の外径と同じ径の筒状に形成された雌ネジ体から成り、流入側の端部内周面には、保形ホース２の先端部に設けた接続金具２ａに着脱自在に螺着される雌ネジ１１ａが形成されていると共に、流出側の端部内周面には、回転式の連結機構１２が着脱自在に螺着される雌ネジ１１ｂとＯリング１５が嵌合されるＯリング溝１１ｃとが夫々形成されている。
又、ホース接続部１１の略中央部の内周面には、後述する流量調整機構１３を抜け止めするための環状の抜け止め部１１５ｄが内方へ突出する姿勢で形成されている。この抜け止め部１１ｄの一次側（保形ホース２が接続される側）には、パッキン１６が配設されている。
【００１５】
そして、前記ホース接続部１１（雌ネジ体）は、回転式の連結機構１２によりエルボ本体１０の流入側の端部に回転自在に接続されている。この回転式の連結機構１２は、エルボ本体１０の流入側の雌ネジ１０ａに着脱自在に螺着された環状の抜け止めリング１７と、ホース接続部１１の流出側の雌ネジ１１ｂに着脱自在に螺着され、抜け止めリング１７に回転自在に挿入されて抜け止めリング１７から抜け止めされた筒状の回転体１８とから成る。
【００１６】
具体的には、抜け止めリング１７は、その内径がエルボ本体１０の流入側の内径よりも小径の環状に形成されており、抜け止めリング１７をエルボ本体１０の流入側の雌ネジ１０ａに螺着したときにエルボ本体１０の流入側の内方に段部１７ａが形成されるようになっている。
又、回転体１８は、エルボ本体１０、抜け止めリング１７及びホース接続部１１に夫々挿入できる大きさの筒状に形成されており、流入側の端部外周面には、ホルダー接続部１１の流出側の雌ネジ１１ｂに着脱自在に螺着される雄ネジ１８ａが形成されていると共に、流出側の端部外周面には、抜け止めリング１７の段部１７ａ（下流側の端面）に当接して回転体１８をエルボ本体１０から抜け止めする段部１８ｂとＯリング１５が嵌合されるＯリング溝１８ｃとが夫々形成されている。
【００１７】
前記流量調整機構１３は、一次側の圧力変動に関係なく二次側の流量を略一定に保つものであり、この実施の形態に於いては、流量調整機構１３には、構造が簡単で低コストの弾性を有するリング状のオリフィスが使用されている。
前記オリフィスは、合成ゴムや天然ゴム、或いはこれらと同等の性質を有する合成樹脂材により一定の厚さを有するリング状に形成されており、その背面（図２の左側の端面）がホルダー接続部１１に接続された回転体１８の上流側端面に当接するようにホース接続部１１内の抜け止め部１１ｄの二次側に配設されている。このオリフィスは、オリフィスに作用する流体の一次側と二次側の圧力差によって、圧縮・曲げ変形を生じ、それに伴いオリフィス口径が変化して一次側の圧力の変動に関係なく二次側の流量を略一定に保つようになっている（図２の一点鎖線参照）。
【００１８】
而して、前記定流量回転エルボ１は、図３に示すようにエルボ本体１０の流出側が雄ネジ本体１４を介して開閉機構３ａ付きのノズル３に接続されていると共に、ホース接続部１１の流入側が保形ホース２の先端部に設けた接続金具２ａに接続されており、図４に示すように保形ホース２及びノズル３と一緒に消火栓箱４内に収納されている。
【００１９】
このとき、エルボ本体１０とホース接続部１１とを回転式の連結機構１２により回転自在に接続しているため、消火栓箱４内に定流量回転エルボ１を保形ホース２及びノズル３と一緒に収納する際に、狭い消火栓箱４であっても、ノズル３及びエルボ本体１０をホース接続部１１に対して適切な方向へ回転させることによって、これらを無理な収納姿勢とならないように消火栓箱４内に収納することができる。
尚、エルボ本体１０とホース接続部１１とが回転しない場合には、図４の一点鎖線に示すように保形ホース２及びノズル３等が無理な姿勢で消火栓箱４内に収納されることになる。
【００２０】
上述した定流量回転エルボ１を用いた易操作性１号消火栓の消火活動に際しては、先ず、操作者が消火栓箱４の蓋体４ｂを開放してノズル３を筒状のローラ６の間から消火栓箱４の外へ取り出し、開閉機構３ａによりノズル３からの放水をストップした状態でポンプ起動スイッチ付きの消火栓弁５を開放して消火栓ポンプ（図示省略）を起動させる。次に、放水をストップしているノズル３を持った状態で保形ホース２を消火栓箱４から引き出しつつ火災地点へ近づく。その後、ノズル３の先端を火災地点へ向けて構え、この状態で開閉機構３ａによりノズル３を開放して放水作業を行う。
【００２１】
このとき、ノズル３と保形ホース２との間に介設した定流量回転エルボ１がオリフィスから成る流量調整機構１３を内蔵しているため、放水開始時に保形ホース２内の圧力が高かっても、ノズル３からの放水量を略一定に保つことができ、放水によるノズル３への反動力を抑えることができる。又、保形ホース２内の水がエルボ本体１０を通過してノズル３から放水されるため、図１に示すように流水方向Ｄａと放水方向Ｄｂが異なり、水の流れが変わって水流による反動力を低減することができる。その結果、放水開始時に操作者がノズル３を落としたり、ノズル３に振り回されたりすると云うことがなく、消火活動を円滑且つ良好に行える。然も、放水中に保形ホース２内の圧力が変動して高くなった場合にも、流量調整機構１３によりノズル３からの放水量を略一定に保つことができ、放水によるノズル３への反動力を抑えることができる。
更に、放水中に定流量回転エルボ１のエルボ本体１０の流入側が地面を向くようにした場合には、保形ホース２が強制的に地面に押し付けられた格好になるため、保形ホース２内の圧力減少に伴って保形ホース２が縮んでも、保形ホース２が地面から大きく跳ね上がるのを阻止することができると共に、そのときの力がノズル３に伝わるのを緩和することができ、操作者がノズル３を落としたりすることがなくなる。
【００２２】
尚、上記の実施の形態に於いては、エルボ本体１０に流入側と流出側が４５°の角度で交わる曲管を使用するようにしたが、エルボ本体１０の角度はこれに限定されるものではなく、他の角度のエルボ本体１０を使用するようにしても良い。
【００２３】
又、上記の実施の形態に於いては、流量調整機構１３に弾性を有するリング状のオリフィスを使用するようにしたが、流量調整機構１３はこれに限定されるものではなく、他の構成の流量調整機構１３であっても良いことは勿論である。
【００２４】
更に、上記の実施の形態に於いては、流量調整機構１３をホース接続部１１内に配設するようにしたが、他の実施の形態に於いては、流量調整機構１３をエルボ本体１０内に配設するようにしても良い。
【図面の簡単な説明】
【００２５】
【図１】本発明の実施の形態に係る定流量回転エルボを用いた易操作性１号消火栓を示し、ノズル、定流量回転エルボ及び保形ホースを消火栓箱から引き出した状態の斜視図である。
【図２】定流量回転エルボの縦断面図である。
【図３】定流量回転エルボをノズルと保形ホースとの間に介設した状態の一部切欠正面図である。
【図４】定流量回転エルボ、ノズル及び保形ホースを消火栓箱内（蓋体は省略）に収納した状態の易操作性１号消火栓の正面図である。
【図５】従来の易操作性１号消火栓示し、ノズル及び保形ホースを消火栓箱から引き出した状態の斜視図である。
【符号の説明】
【００２６】
１は定流量回転エルボ、２は保形ホース、３はノズル、３ａはノズルの開閉機構、１０はエルボ本体、１１はホース接続部、１２は回転式の連結機構、１３は流量調整機構（オリフィス）。
【図１】
2007000438.tif 000003
【図２】
2007000438.tif 000004
【図３】
2007000438.tif 000005
【図４】
2007000438.tif 000006
【図５】
2007000438.tif 000007